(57)【要約】  ファンの定格風量を低減しながら可燃性ガスの排気を満足する。  電池モジュールを複数収納する電池サブラックを複数備えた電池ラックを有する電池システムにおいて、前記電池サブラックは第一ファン及びガス検出装置を有し、前記電池ラックは、複数の前記電池サブラックの第一ファンから排気された空気を排気する第二ファンを有し、前記第二ファンは、定格風量が前記第一ファンの定格風量よりも大きくなるように構成され、一の前記電池サブラックにおける前記ガス検出装置によって所定のガスが検知された場合、当該一の電池サブラックにおける第一ファンを駆動させ、さらに当該一の電池サブラック以外の電池サブラックにおける第一ファンを停止させた状態で前記第二ファンを駆動させることを特徴とする。
2013118166.tif 000002
【特許請求の範囲】
【請求項１】
電池モジュールを複数収納する電池サブラックを複数備えた電池ラックを有する電池システムにおいて、
前記電池サブラックは第一ファン及びガス検出装置を有し、
前記電池ラックは、複数の前記電池サブラックの第一ファンから排気された空気を排気する第二ファンを有し、
前記第二ファンは、定格風量が前記第一ファンの定格風量よりも大きくなるように構成され、
一の前記電池サブラックにおける前記ガス検出装置によって所定のガスが検知された場合、当該一の電池サブラックにおける第一ファンを駆動させ、さらに当該一の電池サブラック以外の電池サブラックにおける第一ファンを停止させた状態で前記第二ファンを駆動させることを特徴とする電池システム。
【請求項２】
電池モジュールを複数収納する電池サブラックを複数備えた電池ラックを有する電池システムにおいて、
前記電池サブラックは第一ファン及びガス検出装置を有し、
前記電池ラックは、複数の前記電池サブラックの第一ファンから排気された空気を排気する第二ファンを有し、
前記第二ファンは、定格風量が前記第一ファンの定格風量よりも大きくなるように構成され、
一の前記電池サブラックにおける前記ガス検出装置によって所定のガスが検知された場合、当該一の電池サブラックにおける第一ファンを駆動させ、さらに当該一の電池サブラック以外のいずれかの電池サブラックにおける第一ファンを停止させた状態で前記第二ファンを駆動させることを特徴とする電池システム。
【請求項３】
電池モジュールを複数収納する電池サブラックを複数備えた電池ラックを有する電池システムにおいて、
前記電池サブラックは第一ファンを有し、
前記電池モジュールは、当該電池モジュールを構成する電池セルの電圧情報を収集するセル制御回路を有し、
前記電池ラックは、複数の前記電池サブラックの第一ファンから排気された空気を排気する第二ファンを有し、
前記第二ファンは、定格風量が前記第一ファンの定格風量よりも大きくなるように構成され、
一の前記電池モジュールにおける電池セルの電圧が異常電圧となった場合、
前記異常電圧が検知された電池モジュールを有する電池サブラックの第一ファンを駆動させ、さらに異常電圧が検知されなかった電池モジュールを有する電池サブラックにおける第一ファンを停止させた状態で前記第二ファンを駆動させることを特徴とする電池システム。
【請求項４】
請求項１乃至３のいずれかに記載の電池システムにおいて、
前記第二ファンの定格風量は、第一ファンの定格風量に前記電池サブラックの個数を乗じた値となることを特徴とする電池システム。
【請求項５】
請求項１乃至４のいずれかに記載の電池システムにおいて、
前記第一ファンから排気された空気は、前記第二ファンまで連通された空間に排出されることを特徴とする電池システム。
【請求項６】
請求項１乃至５のいずれかに記載の電池システムにおいて、
前記電池サブラックに収納された複数の電池モジュールは、それぞれ空間を介して配置されることを特徴とする電池システム。
【請求項７】
請求項１乃至６のいずれかに記載の電池システムにおいて、
前記第一ファンは、逆回転可能となるように構成されていることを特徴とする電池システム。
【発明の詳細な説明】
【技術分野】
【０００１】
本発明は、単電池を複数個直並列接続した電池システムに関するものである。
【背景技術】
【０００２】
従来の電池システムでは、例えば、電池を異常な状態で充放電した場合に電池内部でガスが発生して内圧が上昇し破裂に至るため、破裂を防止するための安全弁をセルに設けて電池の内容物をセルの外部に排出する。このような場合、リチウムイオン電池は安全弁から可燃性ガスが排出されるため、速やかに外気との混合により可燃性ガスの爆発限界以下まで希釈することでシステム全体としてより一層の安全を保つことができる。ここで可燃性ガスを希釈するには、排気ファンは十分な風量を流すことが要求される。特許文献１に係る電池システムでは、可燃性ガス検知器に排気ファンを連動することでガスを排出する機構が示されている。【０００３】
ところで、電池システムの大型化につれて、装置を構成する個々の単電池セルの総数は膨大なものとなる。装置内の電池セルの実装密度を高める場合、電池セルの損失が発熱源となるため冷却風を外部から通流しながら放熱を行う方式が行われる（特許文献２）。
【先行技術文献】
【特許文献】
【０００４】
【特許文献１】特開平１１−８６８９１号公報
【特許文献２】特開２００５−２４３５８０号公報
【発明の概要】
【発明が解決しようとする課題】
【０００５】
ここで放熱のための冷却風はファン等で駆動する方式が一般的であるので、冷却風によって可燃性ガスを排出する構成が考えられる。【０００６】
しかし、このような電池システムで可燃性ガス検知器の信号と冷却ファンを連動させようとすると、冷却に必要な風量よりも可燃性ガスの排出に必要な風量が大きいため、ファンの定格風量を大きく設計しなくてはならず、電池システムの大型化を招いていた。【０００７】
本発明は、上記実情に鑑みてなされたものであり、電池システムの大型化を抑えながら、可燃性ガスの排出を促進できるようにした電池システムを提供することを目的としている。
【課題を解決するための手段】
【０００８】
上記目的を達成するために、本発明の実施形態に係る電池システムは、電池モジュールを複数収納する電池サブラックを複数備えた電池ラックを有する電池システムで、前記電池サブラックは第一ファン及びガス検出装置を有し、前記電池ラックは、複数の前記電池サブラックの第一ファンから排気された空気を排気する第二ファンを有し、前記第二ファンは、定格風量が前記第一ファンの定格風量よりも大きくなるように構成され、一の前記電池サブラックにおける前記ガス検出装置によって所定のガスが検知された場合、当該一の電池サブラックにおける第一ファンを駆動させ、さらに当該一の電池サブラック以外の電池サブラックにおける第一ファンを停止させた状態で前記第二ファンを駆動させることを特徴とする。
【発明の効果】
【０００９】
本発明を用いることによって、大型化を抑えつつ、可燃性ガスの排出の促進を可能とした電池システムを提供することができる。
【図面の簡単な説明】
【００１０】
【図１】本発明に係る電池システムの概要を示す図である。
【図２】（ａ）および（ｂ）は、本発明に係る電池サブラック２の断面図を示すものである。
【図３】本発明に係る電池ラック１における制御信号の入出力を示す図である。
【図４】本発明に係る制御装置８のブロック図である。
【図５】（ａ）は第１の実施例に係る集合ファン３の処理内容を示したものであり、（ｂ）は第１の実施例に係る個別ファン７の制御を示したものである。
【図６】本発明に係る制御装置８での制御処理フローを示す図である。
【図７】本発明の第２の実施例に係る電池システムを示す図である。
【図８】本発明に係る電池モジュールＭ１１の詳細を示した図である。
【図９】本発明の第２の実施例に係る制御装置８のブロック図である。
【図１０】（ａ）は第１の実施例に係る集合ファン３の処理内容を示したものであり、（ｂ）は第１の実施例に係る個別ファン７の制御を示したものである。
【図１１】本発明の第３の実施例に係る電池システムを示す図である。
【図１２】本発明の第３の実施例に係る個別ファン７０の制御を示したものである。
【発明を実施するための形態】
【００１１】
以下、本発明の実施形態に係る電池システムについて、図面を参照して詳細に説明する。
【００１２】
（第１実施例）
はじめに、本発明の実施形態に係る電池システムについて、図１を参照して説明する。図１は、電池システムの概要を示す図である。本発明の電池システムは、電池ラック１を備え、電池ラック１の内部には複数段の電池サブラック２が搭載されており、当該電池サブラック２は、電池モジュールＭ１〜Ｍｎが複数個並置された電池モジュール群Ｎ（Ｎａ）を収納する構成となっている。複数の電池モジュールＭ１〜Ｍｎは、当該電池モジュールＭ１〜Ｍｎと電池ラック１との間隙、または電池サブラック２の間隙に外気を通流することで電池モジュールの冷却を図る構造となっている。このような構成にすることによって、各電池モジュールを均一に冷やすことができる。また、外気を通流する手段として、電池ラック１には集合ファン３を、電池サブラック２には個別ファン７を備えており、個別ファン７を通流する空気は集合ファン３を通じて外気を給排気する形態となっている。ここで、集合ファン３、個別ファン７はいずれも空気を圧送できるものであればよく、ポンプ・ブロア等で置き換えても構わない。なお、個別ファン７は、電池ラック１の正面側から電池ラック１の後背部に設けられた流路空間１４に外気を給排気する機能を有する。また、集合ファン３は、上記流路空間１４に排気された外気をまとめて排気する機能を有している。後述する集合ファン３を用いた場合、このように構成することによって、例えば電池サブラック２ａ以外の電池サブラック２ｂ及び２ｃに設置された個別ファン７を停止させた場合に、電池サブラック２ａに通常よりも多くの風量を流すことが可能となる。
【００１３】
ここで、集合ファン３、個別ファン７は単一のファンでなくともよく、複数のファンを並置した構成でもよい。なお、集合ファン３の風量は個別ファン７の風量よりも大きくなるよう各ファンを選定する。このような構成とすることによって、電池サブラック２ａ以外の電池サブラック２ｂ、２ｃに配置された個別ファン７を停止させた場合に、電池サブラック２ａに流れる風量を増加させることが可能となる。
【００１４】
より具体的には、電池ラック１に搭載された電池サブラック２が３ｎ個存在する場合には、集合ファン３の定格風量は個別ファン７の定格風量の３ｎ倍程度とすることなどが考えられる。
【００１５】
また、電池サブラック２には個別にガス漏えい検知装置６が備えられており、電池モジュールＭ１〜Ｍｎに異常が発生した場合に発生するガスを当該ガス漏えい検知装置６によって検出している。なお、本実施形態においては電池セルはリチウムイオン電池を想定しているため、発生するガスについては水素ガスや電解液であるカーボネート系溶媒の揮発ガスなどが考えられる。
【００１６】
図２（ａ）および図２（ｂ）は、電池サブラック２の詳細を示す電池サブラック２の断面図である。図のとおり、ガス漏えい検知装置６は電池モジュール群Ｎに比べ、常に冷却風の下流側になる位置に搭載されるとよい。なお、ガス漏えい検知装置６の位置は、図２（ａ）に示すように電池サブラック２の内側に配置されても、図２（ｂ）に示すように電池サブラック２の外側に配置されても構わない。また、個別ファン７についても、図２（ａ）に示すような電池サブラック２の外側、又は図２（ｂ）に示すような電池サブラック２の内側のいずれに配置されていてもよい。
【００１７】
さらに、ガス漏えい検知装置６は、検出するガスの成分に応じて鉛直方向の上側か下側かを選択的に配置することで検知感度を高めることができる。例えば、水素ガスのように軽い気体を検出したい場合にはガス漏えい検知装置６を電池サブラック２の上部に配置し、逆に空気の比重よりも重いガスを検出したい場合にはガス漏えい検知装置６を電池サブラック２の下部に配置することなどが考えられる。
【００１８】
図３は、電池ラック１内部の信号接続を示している。電池ラック１に備えられた制御装置８は、ガス検知信号通信配線１０６を介して電池ラック１内部の全てのガス漏えい検知装置６（６ａ〜６ｃ）のガス検知信号６ｓを取得し、各電池サブラック２内の電池モジュールにガス漏れが無いか監視する。また制御装置８は、個別ファン操作信号配線１０７を介して、電池ラック１内部の個別ファン７（７ａ〜７ｃ）の駆動および停止を制御する個別ファン操作信号７ｓを出力する。さらに制御装置８は、集合ファン操作信号通信配線１０３で集合ファン３とも接続され、集合ファン３の駆動および停止を制御する集合ファン操作信号３ｓを出力する。なお、個別ファン７（７ａ〜７ｃ）及び集合ファン３の制御方法の詳細については後述する。また、制御装置８は通信配線１０８を介して、電池モジュール群Ｎ（Ｎａ〜Ｎｃ）を構成する電池モジュールＭ１〜Ｍｎと情報通信を行い、各電池モジュールＭ１〜Ｍｎの内部の諸パラメータである電池情報信号８ｓを取得する。
【００１９】
図４は、制御装置８内部における信号処理フローを示した図である。まず、各電池モジュールＭ１〜Ｍｎの電池情報信号８ｓが、通信配線１０８を介して電池温度制御演算部１１０に入力される。ここで電池温度制御演算部１１０は、電池情報信号８ｓである各電池モジュール内部の温度情報、各種電圧情報、電流情報を用いて、電池モジュール内部の電池セルが不可逆なダメージを受ける程度まで温度が上昇した場合に、集合ファン操作指令Ｔａおよび各個別ファン操作指令Ｔｍを演算する。例えば、各々の電池サブラック２に属する電池モジュールに関して温度が上昇した場合にはそれぞれの電池サブラック２に対応した個別ファン７を操作すべく個別ファン操作指令Ｔｍを変化させる。また、全ての電池モジュールの温度情報の平均が所定の閾値を超えた場合に集合ファン操作指令Ｔａを変化させてもよい。その後、演算された集合ファン操作指令Ｔａは電池温度制御演算部１１０から集合ファン制御演算部１１２に出力され、演算された個別ファン操作指令Ｔｍは個別ファン制御演算部１１３に出力される。
【００２０】
一方、ガス漏えい検知判定部１１１では、各々の電池サブラック２に設置されたガス漏えい検知装置６（６ａ〜６ｃ）からのガス検知信号６ｓを監視して、一つでもガス検知信号６ｓがガス漏えいを検知した場合には漏えい検知信号Ｆｇを変化させて集合ファン制御演算部１１２に出力する。また、ガス漏えい検知判定部１１１はガス漏えいを検知した場合、ガス検知信号６ｓがいずれの電池サブラック２から検知されたかを判定した後に判定した漏えいサブラック情報Ｇｍを個別ファン制御演算部に出力する。
【００２１】
集合ファン制御演算部１１２には、集合ファン操作指令Ｔａ及びガス漏えい検知信号Ｆｇが入力される。図５（ａ）の表に示すように、この集合ファン制御演算部１１２では漏えい検知信号Ｆｇが漏えいを検知していない場合であってかつ集合ファン操作指令Ｔａが集合ファン３の停止を指示している場合、ファン停止とする操作指令３Ｓが出力される（条件（４））。その他の条件（条件（１）〜条件（３））では、集合ファン３が駆動状態となるように集合ファン操作指令３ｓを出力する。このような制御にすることによって、ガス漏えいが無く、電池モジュールの冷却が大きく要求されていない場合には、個別ファン７よりも消費電力の大きい集合ファン３を停止して電池システムを運転できる。そのため、電池システム全体として、消費電力を低減しつつも安全性の高い制御を行うことが可能となる。
【００２２】
一方、個別ファン制御演算部１１３には、電池ラック１に搭載されたｐ個の個別ファン７それぞれについての個別ファン操作指令Ｔｍ（ＴｍX（Ｘは１〜ｐ））及び漏えいサブラック情報Ｇｍ（ＧｍY（Ｙはサブラックの個数））が入力される。なお、本実施形態では説明を単純にするため電池サブラックの個数を２個とするが、特に電池サブラックの個数については限定されない。以下本実施形態では漏えいサブラック情報Ｇｍは、電池サブラック２ａ、２ｂと対応させてＧｍa、Ｇｍbとする。
【００２３】
具体的な処理を図５（ｂ）の表に示す。まず、個別ファン操作指令ＴｍX（Ｘは１〜ｐ）が停止指示の場合で、どの電池サブラック２でもガスが漏えいしていない場合には、各個別ファン７に出力される個別ファン操作信号７ｓx（Ｘは１〜ｐ）は停止指示となる（条件（１２））。一方、個別ファン操作指令ＴｍXが駆動指示又は停止指示の場合であって、いずれの電池サブラック２でもガスの漏えいが検知されている場合には、各個別ファン７に出力される個別ファン操作信号７ｓxは駆動指示となる（条件（５）又は条件（９））。なお、個別ファン操作指令ＴｍXが駆動指示であっていずれの電池サブラック２からもガスの漏えいが検知されていない通常の運転状態では、当然のことながら各個別ファン７に出力される個別ファン操作信号７ｓxは駆動指示となる（条件（８））。
【００２４】
続いて、図５（ｂ）の表において、電池サブラック２ａ又は２ｂのいずれかの電池サブラックにおいてガスの漏えいが検知された場合（条件（６）、条件（７）、条件（１０）、又は条件（１１））について説明する。図５（ｂ）の表の条件（６）、条件（７）、条件（１０）、又は条件（１１）に示すように、いずれかの電池サブラック２でガスの漏えいが検知されている場合には、個別ファン操作指令ＴｍXが駆動指示又は停止指示のいずれかの場合であっても、ガス漏えいのあった電池サブラック２に設置されている個別ファン７を駆動させる。そして、ガス漏えいの無い電池サブラック２に設置されている個別ファン７については停止させる。上述したように、ガス漏えい状態では集合ファン３は確実に駆動しており、さらに集合ファン３は各個別ファンの定格風量よりも大きいため、ガス漏えいの無い電池サブラック２に設置された個別ファン７を停止することによって一時的にガス漏えいのあった電池サブラック２に大きな風量を送ることが可能となる。
【００２５】
続いて、上述したガス漏えい検知時の制御装置８での制御処理フローチャートを図６に示す。まず、ガス検知信号６ｓが制御装置８に入力される（ステップＳ１１）。続いて、ガス漏えい検知判定部１１１にてガス検知信号６ｓの情報に基づいてガスが漏えいしているかどうか判断される（ステップＳ１２）。ここでガス漏えいが検知されなかった場合、集合ファン３及び個別ファン７の制御フローはそれぞれステップＳ１６及びステップＳ１９に移行する。ステップＳ１６は集合ファン制御演算部１１２での処理であり、電池温度制御演算部１１０から出力された集合ファン操作指令Ｔａが駆動指示であるか否かを判断し、駆動指示である場合、ステップ１７に進み集合ファン３を駆動し、停止指示である場合にはステップＳ１８に進み集合ファン３を停止する。
【００２６】
ステップＳ１９は個別ファン制御演算部１１３での処理であり、電池温度制御演算部１１０から出力された個別ファン操作指令Ｔｍが駆動指示であるか否かを判断し、駆動指示である場合、ステップＳ２０に進み個別ファン７を駆動し、停止指示である場合にはステップＳ２１に進み個別ファンを停止する。
【００２７】
一方、ステップ１２にてガス漏えいが検知された場合にはステップＳ１３に進み、ガス漏えい検知判定部１１１にて、ガス漏えいが発生している電池サブラック２の特定をする。その後ステップＳ１４に進み、集合ファン制御演算部１１２から集合ファン３を駆動させる集合ファン操作信号３ｓを出力する。最後にステップＳ１５に進み、個別ファン制御演算部１１３からガス漏えいしている電池サブラック２に設置された個別ファン７を駆動させる個別ファン操作信号７ｓが出力され、さらにガス漏えいしていない電池サブラック２に設置された個別ファン７を停止させる個別ファン操作信号７ｓが出力される。
【００２８】
上述したように、本実施形態のような構成にすれば、いずれかの電池サブラック２内部でガス漏えいが発生した場合、ガス漏えいが発生していない電池サブラックの個別ファン７を停止するとともに、集合ファン３を駆動状態にすることができる。この結果、集合ファン３の風量のうちガス漏えいが発生する電池サブラック２へ流入する風量の割合を増すことができるため、電池ラック１内に設置される個別ファン７の定格風量を低減した小型な個別ファン７を用いることが可能となり、小型化に寄与することができる。また、個別ファン７の大型化も抑制できるので、個別ファン７の駆動電源損失も低減することが可能となり、電力消費量を抑制した電池システムを実現できる。また上述しなかったが、３つ以上の電池サブラックを有する電池システムにおいては、ガス漏えいが検知されなかった電池サブラックのうち少なくとも１つの電池サブラックにおける個別ファンを停止させれば上記効果は実現できる。このように制御する場合の例としては、温度の高い電池モジュールを有する電池サブラックの個別ファンを優先的に駆動させて、ガス漏えいが無い他の電池サブラックの個別ファンを停止する制御がある。このように制御することによって、温度の高い電池モジュールの劣化を防止しつつも、ガスの濃度が高くなるのを防止することができる。
【００２９】
（第２実施例）
本発明に関わる第２の実施例を示している。第１の実施例と異なる点は、電池モジュールを構成する電池セルの異常電圧に基づいて各ファンの制御を行う点である。なお、図面番号については、第１の実施例から変化が無い部分については第１の実施例と同様の図面番号を用いている。
【００３０】
図７は、本発明に関わる第２の実施例の電池システムを示す図である。電池ラック１Ａ、１Ｂ、１Ｃは全て同じものであって、その出力端子は例えば並列接続されている。さらに電池ラックは電力変換器１１に接続されており、電力変換器１１を介して外部電源１０や負荷９との間で電力を授受できる構成となっている。ここで例えば電力変換器１１が直流／交流変換器であった場合には、外部電源１０には商用電力系統、負荷９には交流負荷を用いてもよい。
【００３１】
電池ラック１の内部では電池モジュールＭ１１〜Ｍ１ｎが直列接続されており、制御装置８は各電池モジュールの両端電圧を監視している。また電池モジュールの直列回路の一部にはスイッチ１２が備えられており、スイッチ１２は制御装置８の操作信号により開閉が可能である。また制御装置８は、モジュール制御装置５から電池情報信号８Ｓを受信して、電池ラック外部に備えられた統括制御装置４と情報通信可能なように構成されている。統括制御装置４は制御装置８から得た情報をもとに電力変換器１１を操作可能である。なお、当該制御装置８については図示しないが、電池ラック１の内部に設けられている。
【００３２】
図８は、電池モジュールＭ１１の詳細図を示している。電池モジュール内部には複数の単位電池セル１３が直列接続されており、各単位電池セル１３の両端電位はモジュール制御装置５に接続され、測定されている。モジュール制御装置５の内部はセル電圧バランス部５Ａ、セル制御回路５Ｂ、接点入出力部５Ｃ、外部通信端子５Ｄなどが備えられている。ここで、セル制御回路５Ｂはセル電圧計測演算部５Ｂ１、およびセル電圧バランス制御演算部５Ｂ２などの機能を備えており、セル電圧計測演算部５Ｂ１が各電池セル電圧情報を演算し、セル電圧バランス制御演算部５Ｂ２はセル電圧情報に従って電圧が高い電池セルを特定してセル電圧バランス部５Ａを駆動する。なお、セル電圧バランス部５Ａは、例えば抵抗５Ａ１とスイッチ装置５Ａ２を直列した回路を各セル両端に並列接続する構成となっている。
【００３３】
ここで、セル制御回路５Ｂは電池セル電圧情報の異常低下または異常上昇を検出した場合に接点入出力部５Ｃを駆動させる。なお、ここで言う異常上昇とは、例えば公称電圧の１２０％以上の電圧が発生した場合、異常低下とは例えば電圧が０．５Ｖ以下になった場合である。可燃性ガスの漏えいが発生する際は電池セルが異常な状態で充放電されているため、電池セル電圧を常時監視すれば未然にガス漏えいを予測することができる。したがって、このような異常電圧をセル制御回路５Ｂで検出した場合、当該接点入出力部５Ｃまたは外部通信端子５Ｄから異常電圧信号５Ｓを制御装置８に送信することで、ガス漏えい検知装置６が漏えいを検知するよりも早く、個別ファン、集合ファンを漏えい検出時のモードに切り替えることができるため、より確実に可燃性ガスの希釈効果を高めることができる。
【００３４】
具体的な制御ブロックの内容については、図９を用いて説明する。具体的に第１の実施例と異なる点は、制御装置８の内部に異常電圧判定部１１４を有する点である。この異常電圧判定部１１４に上述した異常電圧信号５Ｓが入力された場合、当該異常電圧判定部１１４から集合ファン制御演算部１１２に異常電圧フラグＶＦｇが出力される。さらに当該異常電圧判定部１１４では、電池モジュールＭ１１〜Ｍ１ｎのいずれのモジュールで異常電圧が発生したのかを判定し、異常電圧が発生した電池モジュールを有するサブラックを特定する信号、すなわち異常電圧サブラック情報Ｖｍ（ＶｍY（Ｙはサブラックの個数に対応））を生成し、個別ファン制御演算部１１３に出力する。
【００３５】
集合ファン制御演算部１１２には、集合ファン操作指令Ｔａ及び異常電圧フラグＶＦｇが入力される。図１０（ａ）の表に示すように、この集合ファン制御演算部１１２では異常電圧フラグＶＦｇが入力されない場合であってかつ集合ファン操作指令Ｔａが集合ファン３の停止を指示している場合のみ、ファン停止とする操作指令３Ｓが出力される（条件（１６））。その他の条件（条件（１３）〜条件（１５））では、集合ファン３が駆動状態となるように集合ファン操作指令３ｓを出力する。このような制御にすることによって、ガス漏えいは無いが、ガス漏えいの前兆が見られたときに即座に集合ファン３を駆動することが可能となり、ガス漏えい時に一空間のガス濃度が急上昇することを、未然に防ぐことが可能となる。
【００３６】
続いて、個別ファン制御演算部１１３での処理について説明する。なお、本実施形態では説明を単純にするため電池サブラックの個数を２個とするが、特に電池サブラックの個数については限定されない。以下本実施形態では異常電圧サブラック情報Ｖｍは、電池サブラック２ａ、２ｂと対応させてＶｍa、Ｖｍbとする。
【００３７】
具体的な処理を図１０（ｂ）の表に示す。まず、個別ファン操作指令ＴｍX（Ｘは１〜ｐ）が停止指示の場合で、どの電池サブラック２でも異常電圧が発生した電池モジュールがない場合には、各個別ファン７に出力される個別ファン操作信号７ｓx（Ｘは１〜ｐ）は停止指示となる（条件（２４））。一方、個別ファン操作指令ＴｍXが駆動指示又は停止指示の場合であって、いずれの電池サブラック２でも異常電圧が発生している電池モジュールがある場合には、各個別ファン７に出力される個別ファン操作信号７ｓxは駆動指示となる（条件（１７）又は条件（２１））。なお、個別ファン操作指令ＴｍXが駆動指示であっていずれの電池サブラック２からも異常電圧が発生している電池モジュールがない通常の運転状態では、当然のことながら各個別ファン７に出力される個別ファン操作信号７ｓxは駆動指示となる（条件（２０））。
【００３８】
続いて、図１０（ｂ）の表において、電池サブラック２ａ又は２ｂのいずれかの電池サブラックにおいてガスの漏えいが検知された場合（条件（１８）、条件（１９）、条件（２２）、又は条件（２３））について説明する。図１０（ｂ）の表の条件（１８）、条件（１９）、条件（２２）、又は条件（２３）に示すように、いずれかの電池サブラック２で異常電圧が発生した電池モジュールが検知された場合には、個別ファン操作指令ＴｍXが駆動指示又は停止指示のいずれかの場合であっても、異常電圧の発生した電池モジュールが配置されている電池サブラック２の個別ファン７を駆動させる。そして、異常電圧が発生した電池モジュールの無い電池サブラック２に設置されている個別ファン７を停止させる。上述したように、異常電圧の検出状態では集合ファン３は確実に駆動しており、さらに集合ファン３は各個別ファンの定格風量よりも大きいため、異常電圧が発生した電池モジュールの無い電池サブラック２に設置された個別ファン７を停止することによって一時的に異常電圧が発生した電池モジュールを有する電池サブラック２に大きな風量を送ることが可能となる。本実施例の制御をすることによって、ガス漏えい検知装置６が漏えいを検知するよりも早く、個別ファン、集合ファンを漏えい検出時のモードに切り替えることができるため、より確実に可燃性ガスの希釈効果を高めることができる。また、異常電圧が発生している場合には電池モジュールが発熱していることが多いため、当該制御方法を用いることによって、異常電圧が発生した電池モジュールの冷却を強化することも可能となり、ガスの漏えいを未然に防ぐことも可能となる。
【００３９】
なお、本実施例では特にガス漏えいがあった場合については言及していなかったが、異常電圧が発生していなくともガス漏えいが検知された場合には、当然第１の実施例にしたがって制御をするのは言うまでも無い。
【００４０】
（第３実施例）
図１１は、本発明に関わる第３の実施例を示している。第１の実施例と異なる点は、個別ファン７を順方向（正回転方向）と逆方向（逆回転方向）に空気を圧送できるファン７０（７０ａ）とした点である。この個別ファン７０ａによって、空気の流れる方向を変化させることで、可燃性ガスの希釈効果を高めることができる。なお、ここでは電池サブラック２から流路空間１４に空気を流す方向を正回転方向、流路空間１４から電池サブラック２に空気を流す方向を逆回転方向とする。また、具体的な制御ブロックについては図４と同様である。
【００４１】
図１２に個別ファン制御演算部１１３の処理内容を示す。なお、本実施形態では説明を単純にするため電池サブラックの個数を２個とするが、特に電池サブラックの個数については限定されない。以下本実施形態では異常電圧サブラック情報Ｇｍは、電池サブラック２ａ、２ｂと対応させてＧｍa、Ｇｍbとする。
【００４２】
まず、個別ファン操作指令ＴｍX（Ｘは１〜ｐ）が停止指示の場合で、どの電池サブラック２でもガスが漏えいしていない場合には、各個別ファン７０に出力される個別ファン操作信号７０ｓx（Ｘは１〜ｐ）は停止指示となる（条件（３２））。一方、個別ファン操作指令ＴｍXが駆動指示又は停止指示の場合であって、いずれの電池サブラック２でもガスの漏えいが検知されている場合には、各個別ファン７０に出力される個別ファン操作信号７０ｓxは正回転指示となる（条件（２５）又は条件（２９））。なお、個別ファン操作指令ＴｍXが駆動指示であっていずれの電池サブラック２からもガスの漏えいが検知されていない通常の運転状態では、当然のことながら各個別ファン７０に出力される個別ファン操作信号７０ｓxは正回転指示となる（条件（２８））。
【００４３】
続いて、図１２の表において、電池サブラック２ａ又は２ｂのいずれかの電池サブラックにおいてガスの漏えいが検知された場合（条件（２６）、条件（２７）、条件（３０）、又は条件（３１））について説明する。図１２の表の条件（２６）、条件（２７）、条件（３０）、又は条件（３１）に示すように、いずれかの電池サブラック２でガスの漏えいが検知されている場合には、個別ファン操作指令ＴｍXが駆動指示又は停止指示のいずれかの場合であっても、ガス漏えいのあった電池サブラック２に設置されている個別ファン７を正回転させる。そして、ガス漏えいの無い電池サブラック２に設置されている個別ファン７については逆回転させる。また、第１の実施例と同様に、ガス漏えい状態では集合ファン３は確実に駆動しており、さらに集合ファン３は各個別ファンの定格風量よりも大きい。
【００４４】
上述したように本実施例の制御方法を用いることによって、第１の実施例と比較して消費電力は大きくなるが、ガス漏えいのあった電池サブラック２に第１の実施例よりも大きな風量を送ることができる。そのため、より瞬間的にガスの濃度を低下させることが可能となる。以上、上述したように本発明を用いることによって、ガス漏えいが発生した場合に、確実に、そしてより早くガスの濃度を低下させることができる電池システムを提供することが可能となる。
【符号の説明】
【００４５】
１，１Ａ，１Ｂ，１Ｃ  電池ラック
２，２ａ，２ｂ，２ｃ  電池サブラック
３  集合ファン
６，６ａ，６ｂ，６ｃ  ガス漏えい検知装置
７，７ａ，７ｂ，７ｃ  個別ファン
Ｍ１〜Ｍｎ，Ｍ１１〜Ｍ１ｎ  電池モジュール
Ｎ，Ｎａ，Ｎｂ，Ｎｃ  電池モジュール群
【図１】
2013118166.tif 000003
【図２】
2013118166.tif 000004
【図３】
2013118166.tif 000005
【図４】
2013118166.tif 000006
【図５】
2013118166.tif 000007
【図６】
2013118166.tif 000008
【図７】
2013118166.tif 000009
【図８】
2013118166.tif 000010
【図９】
2013118166.tif 000011
【図１０】
2013118166.tif 000012
【図１１】
2013118166.tif 000013
【図１２】
2013118166.tif 000014
【国際調査報告】
2013118166.tif 000015
2013118166.tif 000016
2013118166.tif 000017
2013118166.tif 000018